(57)【要約】      （修正有）【課題】加熱圧着で簡単に取付けることができる。テープの全長に亘って極めて薄い厚さとなり、且つ縫着糸が外面に表れないすっきりとした外観優美な雌雄係止具付きテープを提供する。【解決手段】ブラジャーなどのバック布に取付けられる雌係止具付きテープ１と雄係止具付きテープ１１であって、加熱圧着によりバック布９,１９に貼り付ける。【選択図】図５
0003104261.tif 000002
【実用新案登録請求の範囲】
【請求項１】
ブラジャーなどのバック布に取付けられる雌係止具付きテープと雄係止具付きテープであって、加熱圧着によりバック布に貼り付けるように構成してなる雌雄係止具付きテープ。
【請求項２】
雌雄係止具付きテープは、表面布、接着シート、雌係止具を縫着した内面布、雄係止具を縫着した内面布、接着シ−ト、剥離紙からなる請求項１に記載の雌雄係止具付きテープ。
【請求項３】
雌雄係止具付きテープの厚みは０．５ｍｍである請求項１または２記載の雌雄係止具付きテープ。
【考案の詳細な説明】
【技術分野】
【０００１】
本考案は、バック布を有する衣類、例えばブラジャー、ブラスリップ、ボディスーツ、水着などのバック布に貼り付けられる雌雄係止具付きテープに関するものである。
【背景技術】
【０００２】
従来、ブラジャー、ブラスリップ、ボディスーツ、水着などには、通常、着脱のために前部の左右カップ布と連設して側脇部から背面部にかけて延びるバック布の一端部に雌係止具付きテープを、他端部に雄係止具付きテープが縫着されており、雄係止具のフックと雌係止具のアイの係脱によって着脱している。
【０００３】
この雌係止具付きテープ２１は、図６〜図７に示すように、基布テープ２２は芯地２３をくるむようにし、基布テープ２２の表面には、長さ方向に押え布２４と雌係止具２５が上段、中段、下段に取付けてあり、上段の押え布２４ａはテープ表面２２に縫着され、中段の押え布２４ｂは上段の押え布２４ａに縫着され、下段の押え布２４ｃは中段の押え布２４ｂに縫着されており、テープの厚みは下段になるほど厚くなる雌係止具付テープが知られている。（例えば、特許文献１）
【特許文献１】特開２００２−２８００９号公報
【０００４】
一方、前記のように構成された雌係止具付きテープ２１と係止する雄係止具付付きテープ３１は、図８〜図９に示すように、基布テープ３２は芯地３３をくるむようにし、一端部にフック部を有する雄係止具３４を被覆してある。
【考案の開示】
【考案が解決しようとする課題】
【０００５】
しかしながら、上記の雌係止具付きテープは、複数の生地を重合して分厚くなっていることから、ブラジャーなどのバック布に縫着するのが難しく、熟練を要するばかりでなく、折り目付け加工など縫着しやすくするための準備を必要とし、縫製作業に手間がかかり面倒であった。また、複数の生地を所定の寸法に裁断する時にロスが多く発生して不経済であった。さらに、テープ自体にゴツゴツ感があって肌当たりが悪く、圧迫感や違和感があると共に、比較的薄いアウターウエアーを着用すると、外部からその部分の盛り上がりが見えて不体裁になる問題点があった。
【０００６】
本考案は、上記のような問題点を解決することを課題として研究開発されたもので、加熱圧着で簡単に取付けることができ、テープの全長に亘って極めて薄い厚さとなり、且つ縫着糸が外面に表れないすっきりとした外観優美な雌雄係止具付きテープを提供することを目的とするものである。
【課題を解決するための手段】
【０００７】
上記の課題を解決し、その目的を達成する手段として、本考案は、ブラジャーなどのバック布に取付けられる雌係止具付きテープと雄係止具付きテープであって、加熱圧着によりバック布に貼り付けるように構成してなる雌雄係止具付きテープを開発し、採用した。
【０００８】
また、上記の雌雄係止具付きテープにおいて、雌雄係止具付きテープは、表面布、接着シート、雌係止具を縫着した内面布、雄係止具を縫着した内面布、接着シ−ト、剥離紙からなる雌雄係止具付きテープ、および雌雄係止具付きテープの厚みは０．５ｍｍである雌雄係止具付きテープを開発し、採用した。
【考案の効果】
【０００９】
本考案の雌雄係止具付きテープは、加熱圧着の貼り付けタイプであるから、アイロンなどでプレスすることにより簡単に取付けることができる。雌係止具付きテープは０．５ｍｍと全長に亘ってかなり薄く仕上げられているが充分な強度性はあり、バック布に取付けても段差が僅かに生じるだけで衣類の表面に凹凸が現れなく、薄いアウターウエアーを着用してもその部分の盛り上がりが少なく目立たないと共に、着用した時に肌あたりが良く圧迫感や違和感がなくなる。さらに、外面に縫着糸が露出しないのですっきりとした外観優美なものとなる。
【考案を実施するための最良の形態】
【００１０】
以下に、本考案の実施の形態を添付図面に基づいて説明すれば、本考案に係る雌雄係止具付きテープ１，１１は、大別すると表面布２，１２と、雌係止具３，雄係止具１３を縫着した内面布５，１５と、その内面布５，１５の上下から挟着する接着シート７，７、１７，１７と、離型紙８，１８とで構成されている。
【００１１】
雌係止具付きテープ１の表面布２は、所定幅に形成された衣類生地よりかなり薄い不織布を用いるが、薄編地、薄織地でも可能であり、長さ方向の上段、中段、下段の３箇所の左右に２個の切目４を刻設してある。その切目４から雌係止具  ３のアイ部３ａが突出するようになっている。
【００１２】
内面布５は、表面布２より一回り小さい大きさに形成されており、この内面布５もかなり薄い生地で構成されている。そして、その内面布５の表面に雌係止具３を縫着糸６で左右２個、上段、中段、下段の３箇所に取付けてある。
【００１３】
接着シート７は、表面布２と同一大きさの熱可塑性の透明プラスチックフイルムで、表面布２と内面布５との間および内面布５と離型紙８との間に介在され、加熱することにより融着される。
【００１４】
一方、雄係止具付きテープ１１は、雌係止具付きテープ１と同様に、衣類生地よりかなり薄い不織布からなる表面布１２と、その表面布１２より一回り小さいかなり薄い生地の内面布１５に雄係止具１３が縫着糸１６で左右２個取付けられいて、長さ方向の左右に２個の切目１４を刻設してある。その切目１４から雄係止具１３のフック部１３ａが突出するようになっている。そして、接着シート１７，１７を表面布１２と内面布１５との間および内面布１５と離型紙１８との間に介在し加熱することにより融着される。
【００１５】
このように構成した雌雄係止具付きテープの使用状態を作用、効果と共に説明すると、ブラジャー、ブラスリップ、ボディスーツ、水着などのバック布９,１９を有する衣類に取付けて用いる。すなわち、一方のバック布９の端部に雌係止具付きテープ１の剥離紙８を、他方のバック布１９の端部に雄係止具付きテープ１１の剥離紙１８を剥がして置き、アイロンなどで上面から押圧することにより、内面の接着シート７，７、１７，１７が融着し、バック布９，１９に一体的に貼り付けることができる。加熱圧着による貼り合わせであるから、簡単に貼り付けることができると共に、貼着した後はバック布９，１９からはずれたりすることがない充分な強度性を持つ。また、貼り付けられたフックアイテープは、バック布９，１９において生じる段差が僅かであり、凹凸部が生じることがなく、全体体的に薄く仕上がってブラジャーのバック布９，１９に取付けて着用した時に圧迫感や違和感を生じることがない。
【００１６】
なお、前記実施の形態においては、雌係止具３を左右に２個取付けると共に、長さ方向に３段設けた場合について説明したが、本発明は、これらの実施の形態に限定されるものではなく、１段の場合や２段の場合もあり、発明の目的を達成でき、かつ発明の要旨を逸脱しない範囲内において種々の設計変更が可能であることは当然のことである。
【産業上の利用可能性】
【００１７】
本考案は、ブラジャー、ブラスリップ、ボディスーツ、水着だけに限らず、インナーウエア、アウターウエアーなどのバック布を有する衣類等に取付けられるフックアイテープにも利用できる。
【図面の簡単な説明】
【００１８】
【図１】雌係止具付きテープの正面図である。
【図２】雌係止具付きテープの分解図である。
【図３】雄係止具付きテープの背面図である。
【図４】雄係止具付きテープの分解図である。
【図５】バック布に取付けた状態の正面図である。
【図６】従来のアイテープの正面図である。
【図７】図６のＡ−Ａ線拡大断面図である。
【図８】従来のフックテープの正面図である。
【図９】図８のB−B線拡大断面図である。
【符号の説明】
【００１９】
１        雌係止具付きテープ
２，１２  表面布
３        雌係止具
５，１５  内面布
７，１７  接着シート
８，１８  離型紙
９，１９  バック布
１１      雄係止具付きテープ
１３      雄係止具  
【図１】
0003104261.tif 000003
【図２】
0003104261.tif 000004
【図３】
0003104261.tif 000005
【図４】
0003104261.tif 000006
【図５】
0003104261.tif 000007
【図６】
0003104261.tif 000008
【図７】
0003104261.tif 000009
【図８】
0003104261.tif 000010
【図９】
0003104261.tif 000011